(57)【要約】【課題】公開画面上での入力が可能であり、デザインの自由を確保した操作性のよいパスワード入力装置を提供する。【解決手段】パスワード入力装置は、パスワードを入力する画面上に複数の記号を表示する表示部と、複数の記号から少なくとも二つの記号を設定する制御部と、少なくとも二つの記号を示す標識を互いに異なる形式で画面上に表示させるための画像を生成する画像生成部と、少なくとも二つの記号を示す標識を移動させ、少なくとも二つの記号を示す標識から一つの記号を示す標識を選択するための操作部とを有する。【選択図】図１
2014081859.tif 000002
【特許請求の範囲】
【請求項１】
パスワードを入力する画面上に複数の記号を表示する表示部と、
前記複数の記号から、少なくとも二つの記号を設定する制御部と、
前記少なくとも二つの記号を示す標識を互いに異なる形式で前記画面上に表示させるための画像を生成する画像生成部と、
前記少なくとも二つの記号を示す前記標識を移動させ、該少なくとも二つの記号を示す前記標識から一つの記号を示す標識を選択するための操作部と、を有することを特徴とするパスワード入力装置。
【請求項２】
パスワードを入力する画面上に複数の記号を表示する表示部と、
前記複数の記号から、少なくとも二つの記号を設定する制御部と、
前記少なくとも二つの記号を示す標識を互いに異なる形式で前記画面上に表示させるための画像を生成する画像生成部と、
前記少なくとも二つの記号を示す前記標識から予め一つの注目標識を指定し、該標識を移動させて該注目標識を選択するための操作部と、を有することを特徴とするパスワード入力装置。
【請求項３】
前記少なくとも二つの記号を示す前記標識は、互いに異なる色を付加して表示される標識であることを特徴とする請求項１または２に記載のパスワード入力装置。
【請求項４】
前記少なくとも二つの記号を示す前記標識は、互いに異なる模様を付加して表示される標識であることを特徴とする請求項１または２に記載のパスワード入力装置。
【請求項５】
前記少なくとも二つの記号を示す前記標識は、互いに異なる印を付加して表示される標識であることを特徴とする請求項１または２に記載のパスワード入力装置。
【請求項６】
パスワードを記憶するパスワード記憶部と、
請求項１乃至５のいずれか１項に記載のパスワード入力装置と、を有し、
前記制御部は、前記パスワード入力装置の前記操作部により入力されたパスワード候補と前記パスワード記憶部に記憶された前記パスワードとが一致するか否かを判定することを特徴とする電子機器。
【請求項７】
前記操作部は、前記電子機器の本体から分離して設けられたリモコンであり、
前記リモコンを介して前記パスワード候補を入力可能に構成されていることを特徴とする請求項６に記載の電子機器。
【請求項８】
請求項６または７に記載の電子機器を有することを特徴とするプロジェクタ。
【請求項９】
パスワードを入力する画面上に複数の記号を表示するステップと、
前記複数の記号から少なくとも二つの記号を示す標識を互いに異なる形式で前記画面上に表示させるステップと、
前記少なくとも二つの記号を示す前記標識を移動させるステップと、
前記少なくとも二つの記号を示す前記標識から一つの記号を示す標識を選択してパスワード候補を入力するステップと、を有することを特徴とするパスワード入力方法。
【請求項１０】
パスワードを入力する画面上に複数の記号を表示するステップと、
前記複数の記号から少なくとも二つの記号を示す標識を互いに異なる形式で前記画面上に表示させるステップと、
前記少なくとも二つの記号を示す前記標識から予め一つの注目標識を指定するステップと、
前記少なくとも二つの記号を示す前記標識を移動させるステップと、
前記少なくとも二つの記号を示す前記標識から前記注目標識を選択してパスワード候補を入力するステップと、を有することを特徴とするパスワード入力方法。
【請求項１１】
前記パスワード候補とパスワード記憶部に記憶されたパスワードとが一致するか否かを判定するステップを更に有することを特徴とする請求項９または１０に記載のパスワード入力方法。
【発明の詳細な説明】
【技術分野】
【０００１】
本発明は、プロジェクタやテレビなどの表示装置で表示された画面上でパスワードを入力するパスワード入力装置に関する。
【背景技術】
【０００２】
従来から、パスワードなどの秘匿文字を入力する場合、例えば画面上にアスタリスク「＊」の表示を行うことが知られている。公開された画面上では、入力後の文字（文字列）が第三者に漏洩する可能性がある。このため、特許文献１には、入力後の文字をアスタリスク「＊」へ変換し、入力文字そのものが長時間画面上に表示されないように構成されたパスワード入力装置が開示されている。
【０００３】
また、キーボードを持たない装置は、画面上にソフトキーボードなどを表示して文字入力を促すように構成されている。この場合、入力後の文字をアスタリスク表示した場合でも、ソフトキーボード上のカーソルの動きが視認され、入力している文字が漏洩する可能性がある。このため、特許文献２には、表形式表示の採用によってパスワードなどの入力文字そのものの入力を避け、行および列の指示入力により文字を特定して入力するパスワード入力方法が開示されている。
【先行技術文献】
【特許文献】
【０００４】
【特許文献１】特開２００１−１６６８４３号
【特許文献２】特許４７９３７３０号
【発明の概要】
【発明が解決しようとする課題】
【０００５】
しかしながら、特許文献２の方法のように行および列の指示入力を採用すると、入力文字そのものを指示しないことになるため、視認性の点で不十分であり、誤入力の可能性が生じる。特に、入力文字が行および列を指定するために用いられる文字として含まれている場合、文字（パスワード）を入力しているのか行（列）を指定しているのか混同する可能性がある。また、表形式表示にする必要性から、画面上のデザインに制約が生じ、文字配置が独自になり入力すべき文字の発見に時間を要する。
【０００６】
そこで本発明は、公開画面上での文字入力の際に秘匿性を確保しつつ、デザイン性および操作性を向上させたパスワード入力装置、電子機器、プロジェクタ、および、パスワード入力方法を提供する。
【課題を解決するための手段】
【０００７】
本発明の一側面としてのパスワード入力装置は、パスワードを入力する画面上に複数の記号を表示する表示部と、前記複数の記号から、少なくとも二つの記号を設定する制御部と、前記少なくとも二つの記号を示す標識を互いに異なる形式で前記画面上に表示させるための画像を生成する画像生成部と、前記少なくとも二つの記号を示す前記標識を移動させ、該少なくとも二つの記号を示す前記標識から一つの記号を示す標識を選択するための操作部とを有する。
【０００８】
本発明の他の側面としてのパスワード入力装置は、パスワードを入力する画面上に複数の記号を表示する表示部と、前記複数の記号から、少なくとも二つの記号を設定する制御部と、前記少なくとも二つの記号を示す標識を互いに異なる形式で前記画面上に表示させるための画像を生成する画像生成部と、前記少なくとも二つの記号を示す前記標識から予め一つの注目標識を指定し、該標識を移動させて該注目標識を選択するための操作部とを有する。
【０００９】
本発明の他の側面としての電子機器は、パスワードを記憶するパスワード記憶部と前記パスワード入力装置とを有し、前記制御部は、前記パスワード入力装置の前記操作部により入力されたパスワード候補と前記パスワード記憶部に記憶された前記パスワードとが一致するか否かを判定する。
【００１０】
本発明の他の側面としてのプロジェクタは、前記電子機器を有する。
【００１１】
本発明の他の側面としてのパスワード入力方法は、パスワードを入力する画面上に複数の記号を表示するステップと、前記複数の記号から少なくとも二つの記号を示す標識を互いに異なる形式で前記画面上に表示させるステップと、前記少なくとも二つの記号を示す前記標識を移動させるステップと、前記少なくとも二つの記号を示す前記標識から一つの記号を示す標識を選択してパスワード候補を入力するステップとを有する。
【００１２】
本発明の他の側面としてのパスワード入力方法は、パスワードを入力する画面上に複数の記号を表示するステップと、前記複数の記号から少なくとも二つの記号を示す標識を互いに異なる形式で前記画面上に表示させるステップと、前記少なくとも二つの記号を示す前記標識から予め一つの注目標識を指定するステップと、前記少なくとも二つの記号を示す前記標識を移動させるステップと、前記少なくとも二つの記号を示す前記標識から前記注目標識を選択してパスワード候補を入力するステップとを有する。
【００１３】
本発明の他の目的及び特徴は、以下の実施例において説明される。
【発明の効果】
【００１４】
本発明によれば、公開画面上での文字入力の際に秘匿性を確保しつつ、デザイン性および操作性を向上させたパスワード入力装置、電子機器、プロジェクタ、および、パスワード入力方法を提供することができる。
【図面の簡単な説明】
【００１５】
【図１】本実施例におけるパスワード入力装置（表示装置）の構成を示すブロック図である。
【図２】本実施例におけるリモコン（操作部）の模式図である。
【図３】本実施例におけるパスワード入力画面の模式図である。
【図４】実施例１におけるパスワード入力装置の動作（パスワード入力方法）を示すフローチャートである。
【図５】実施例１におけるソフトキーボードの一部拡大図である。
【図６】実施例１におけるソフトキーボードの一部拡大図である。
【図７】実施例１におけるソフトキーボードの一部拡大図である。
【図８】実施例１におけるマーカー位置の移動を示す図である。
【図９】実施例１におけるマーカーがソフトキーボードの確定キーに重なっている状態を示す図である。
【図１０】実施例１におけるリモコン、ソフトキーボード、および、パスワード入力の関係図である。
【図１１】実施例１におけるソフトキーボードの一部拡大図である。
【図１２】実施例２におけるマーカー選択ウィンドウの模式図である。
【図１３】実施例２におけるソフトキーボードの一部拡大図である。
【図１４】実施例２におけるソフトキーボードの一部拡大図である。
【図１５】実施例２におけるパスワード入力装置の動作（パスワード入力方法）を示すフローチャートである。
【発明を実施するための形態】
【００１６】
以下、本発明の実施例について、図面を参照しながら詳細に説明する。各図において、同一の部材については同一の参照番号を付し、重複する説明は省略する。
【実施例１】
【００１７】
まず、図１を参照して、本発明の実施例１におけるパスワード入力装置の構成について説明する。図１は、本実施例におけるパスワード入力装置の構成を示すブロック図である。本実施例におけるパスワード入力装置は、プロジェクタやテレビなどの表示装置（電子機器）に適して用いられる。なお本実施例のパスワード入力装置は、周知の表示装置（電子機器）に適用可能であるため、表示装置に関する詳細な説明は省略する。
【００１８】
図１に示されるように、本実施例のパスワード入力装置１００は、表示装置１０１に設けられている。パスワード入力装置１００は、表示部１０２、重畳部１０４、ＯＳＤ画像生成部１０５、操作部１０６、および、制御部１０７を備えて構成される。表示装置１０１は、更に、画像処理のための画像処理部１０３、および、パスワード（秘匿文字列）を記憶するパスワード記憶部１０８を備えている。また、表示装置１０１の外部には、パスワードの要求元であるサーバなどのサービス提供装置１１０が設けられている。また表示装置１０１には、サービス提供装置１１０と通信する通信部１０９を備えている。
【００１９】
本実施例において、二種類のパスワードが存在する。一つは、本実施例のパスワード入力装置１００が組み込まれたプロジェクタやテレビジョン装置など表示装置１０１の操作用パスワードであり、例えば、起動パスワードやシステムコンフィギュレーション許可用パスワードである。もう一つは、表示装置１０１がネットワークを介して接続したサービス、サービス提供装置、または、サービス提供者などを利用する場合に要求されるパスワードであり、例えば、ネットワークログイン、会員認証、ファイル閲覧、ビデオ再生のパスワードである。
【００２０】
表示部１０２は、表示装置１０１（電子機器）に含まれており、電気信号を映像に変換するデバイスである。表示装置１０１がプロジェクタである場合、表示部１０２は液晶デバイスやマイクロミラーデバイスなどの光変調素子、そのコントローラ（駆動制御部）、および、光源などを備えて構成される。表示装置１０１がテレビジョン装置である場合、表示部１０２はブラウン管デバイスや液晶デバイス、および、そのコントローラ（駆動制御部）を備えて構成される。
【００２１】
画像処理部１０３は、表示装置１０１に入力された映像信号（非図示）に対して、解像度変換、色調整、輪郭調整、フレームレート変換など、各種の画像処理を行う。重畳部１０４は、画像処理部１０３で処理された表示用の映像信号と、本実施例のソフトキーボード映像とを重畳させる。例えばソフトキーボード映像は、映像信号の入力がある場合、映像信号の前面に重畳される。一方、映像信号の入力がない場合、黒背景や青背景の前面に重畳される。ＯＳＤ画像生成部１０５は、メッセージ、ウィンドウ、ソフトキーボード、カーソルなどの画像を生成する。ＯＳＤ画像生成部１０５により生成された画像は、重畳部１０４により、画像処理部１０３からの映像信号と重畳される。
【００２２】
操作部１０６は、例えば、リモコンや外部コントローラ、または、表示装置１０１に設けられた操作部であり、電源キー、方向キー、指示キーなどを備えて構成される。制御部１０７は、表示装置１０１（パスワード入力装置１００）のシーケンス制御や情報伝達制御を行う。制御部１０７は、マイクロプロセッサとプログラムを備えて構成され、データの保存装置（ＲＯＭ、ＲＡＭ、二次記憶装置など）を含む。パスワード記憶部１０８は、表示装置１０１の起動処理やシステムコンフィギュレーション処理にパスワードが要求される場合に、照合用のパスワードを記憶するＲＯＭや二次記憶装置などである。通信部１０９は、表示装置１０１の外部のサービス提供装置１１０と通信する通信制御部である。通信部１０９は、ＵＡＲＴ通信や有線ＬＡＮ、無線ＬＡＮ、ＵＳＢ、ＨＤＭＩ−ＣＥＣなどであるが、これらに限定されるものではない。
【００２３】
サービス提供装置１１０は、表示装置１０１の外部に設けられ、ネットワークログイン、ファイルなどの保存物閲覧／編集サービス、ビデオ映像等の再生サービス、ソーシャルネットワークや通信販売などの会員サービスを提供する一つ以上のサーバ装置である。ただし、サービスの種類は、これらに限定されるものではない。サービス提供装置１１０は、サービス提供時に表示装置１０１（パスワード入力装置１００）に対してパスワードを要求する。
【００２４】
次に、本実施例におけるパスワード入力装置１００の動作について説明する。図３は、本実施例におけるパスワード入力画面の模式図である。図３において、３０１は、表示装置１０１の表示画面であり、表示部１０２により表示される。３０２はパスワードの入力を要求するパスワード入力ウィンドウ、３０３はパスワード入力行、３０４はパスワード入力進行を示す代替記号、３０５はソフトキーボードである。ソフトキーボード３０５は、パスワードを入力する画面上に、複数の記号を配列して表示されている。
【００２５】
本実施例において、代替記号３０４としてアスタリスク「＊」が用いられている。ただし代替記号３０４は、これに限定されるものではなく、入力文字（パスワード文字）そのものでなければ他の記号を用いてもよい。また、図３に示されるパスワード入力ウィンドウ３０２、パスワード入力行３０３、および、ソフトキーボード３０５は一例に過ぎず、本実施例の効果を発揮する構成の範囲内において適宜変更可能である。
【００２６】
図５は、ソフトキーボードの一部拡大図である。ソフトキーボード３０５には、互いに異なる記号を示す複数のキー５０１が配列されている。また、複数のキー５０１のうち４つのキーの上にはマーカー５０２、５０３、５０４、５０５（標識）が付されている。マーカー５０２〜５０５は、ソフトキーボード３０５のそれぞれ対応するキー５０１の略前面または近傍において、一つのキーを特定可能に表示される。制御部１０７は、例えばパスワード記憶部１０８に記憶されたパスワードを構成する記号に対応するキー５０１上にマーカー５０２〜５０５のいずれか一つを表示させる。このとき、他の３つのマーカーは、例えば任意に決定される。もちろん、パスワード記憶部１０８に記憶されたパスワードと、関連性なくマーカー５０２〜５０５を配置表示してもよい。なお、マーカー５０２〜５０５は、キー５０１の上に配置させることは必須でない。例えば、キー５０１自体の色や枠の色、文字の色を変更させるように構成した場合でも同様の効果が得られる。
【００２７】
それぞれのマーカー５０２〜５０５は、互いに区別可能に表示されている。例えば、マーカー５０２〜５０５は、互いに異なる半透明の色を用いて区別される。本実施例において、マーカー５０２〜５０５は、互いに異なるハッチングパターン（模様）であり、重なっているキー５０１が見えるように半透明である。その他、マーカー５０２〜５０５として、互いに異なる色や、互いに異なる形状を有する記号などを用いてもよい。
【００２８】
図５において、マーカー５０２〜５０５として互いに異なる半透明のハッチングパターンが用いられているが、本実施例はこれに限定されるものではない。例えば、図６に示されるように、互いに異なる色（赤、緑、青、黄）をそれぞれ用いたマーカー６０２、６０３、６０４、６０５を表示するように構成してもよい。なお、図６では、色彩に代えて色名称を示しているが、色彩そのもので区別してもよい。または、図７に示されるように、マーカー７０２、７０３、７０４、７０５として、互いに異なる印（星、丸、三角、四角の記号）を用いてもよい。
【００２９】
なお本実施例において、ソフトキーボード３０５のマーカーは、パスワード入力者が区別可能であれば、図５乃至図７に示される構成に限定されるものではない。また、マーカーの数は、４つに限定されるものではなく、２以上の他の数に設定してもよい。例えば、図１１に示されるように、星、菱形、丸、三角、四角の５つのマーカー１１０１、１０１２、１０１３、１０１４、１１０５を表示するように構成してもよい。この場合、例えば「１」〜「５」の数字キーを用いてマーカー１１０１〜１１０５のいずれか一つを選択するように構成することが可能である。また、マーカーとして互いに異なるマーカーを用いる場合でも同様である。
【００３０】
次に、図４を参照して、本実施例におけるパスワード入力装置１００の動作（パスワード入力方法）について説明する。図４は、パスワード入力装置１００の動作を示すフローチャートである。図４の各ステップは、パスワード入力装置１００の制御部１０７の指令に基づいて行われる。
【００３１】
パスワードの照合が要求されると、まずステップＳ４０１において、制御部１０７は、表示部１０２に対して、画面上にパスワード入力ウィンドウ３０２を表示するように指令する。このとき、パスワード入力行３０３は空欄である。続いてステップＳ４０２において、制御部１０７は、マーカーの初期位置を決定する。すなわち制御部１０７は、ソフトキーボード３０５（複数の記号）から、少なくとも二つの記号（本実施例では四つの記号）を設定する。
【００３２】
そしてステップＳ４０３において、制御部１０７は、ステップＳ４０２で決定された位置にマーカーを重ねて、ソフトキーボード３０５を表示する。すなわち、制御部１０７（ＯＳＤ画像生成部）は、少なくとも二つの記号を示す標識を互いに異なる形式で画面上に表示させるための画像を生成する。この標識は、前述のように、例えば互いに異なる色を付加して表示される標識である。ただし本実施例はこれに限定されるものではなく、互いに異なる模様を付加して表示される標識、または、互いに異なる印を付加して表示される標識であってもよい。
【００３３】
このとき、ソフトキーボード３０５は、例えば図５乃至図７のいずれか一つのように表示される。なお、マーカーの初期位置は、図５乃至図７に示される位置に限定されるものではなく、パスワードを構成する記号（文字）を含み、かつ、互いに重ならないように配置されていれば、他の位置であってもよい。
【００３４】
続いてステップＳ４０４において、制御部１０７は、使用者によりマーカーを移動させるための移動キーが押下（入力）されたか否かを判定する。図２は、本実施例における操作部１０６としてのリモコン２０１の模式図である。操作部１０６（リモコン２０１）は、少なくとも二つの記号を示す標識を移動させるために用いられる。本実施例は、操作部１０６を介してパスワード候補を入力可能に構成されている。リモコン２０１は、表示装置１０１（パスワード入力装置１００）の本体から分離して設けられている。ただしこれに限定されるものではなく、リモコン２０１は、本体と線などで接続されていてもよい。
【００３５】
リモコン２０１において、２０２は電源キーであり、２０３、２０４、２０５、２０６は、上、左、右、下への移動をそれぞれ指示するための移動キーである。ステップＳ４０４にて移動キー２０３〜２０６のいずれかが入力されると、制御部１０７は、ステップＳ４０５においてマーカー位置を移動（更新）する。図５に示される状態において、いずれかの移動キーが入力されると、図８に示されるようにマーカー位置が変更される。図８は、マーカー位置の移動を示す模式図である。例えば、右への移動を指示する移動キー２０５が入力された場合、図８（ａ）に示されるようにマーカー位置が変更される。図８（ａ）において、マーカー８１２、８１３、８１４、８１５は、マーカー５０２、５０３、５０４、５０５がそれぞれ一つだけ右へ移動したマーカーである。また、例えば上への移動を指示する移動キー２０３が入力された場合、図８（ｂ）に示されるようにマーカー位置が変更される。図８（ｂ）において、マーカー８２２、８２３、８２４、８２５は、マーカー５０２、５０３、５０４、５０５がそれぞれ一つだけ上へ移動したマーカーである。
【００３６】
このように、それぞれのマーカーは、移動キーによる指示に応じて上下左右に移動する。また、ソフトキーボード３０５の端（端のキー５０１）に位置するマーカーがその端を越えるような移動指示が入力されると、逆側の端に移動する。例えば、図８（ｂ）のマーカー８２２は、図５のマーカー５０２に対して上への移動指示が入力された場合の移動先マーカーである。本実施例において、ソフトキーボード３０５の上端と下端、および、左端と右端は連続しているようにマーカーは移動可能である。図４のステップＳ４０５において、制御部１０７は新たなマーカー位置を算出すると、ステップＳ４０３へ戻り、新しいマーカー位置でソフトキーボード３０５を表示する。
【００３７】
ステップＳ４０４にてマーカーの移動キーが入力されていない場合、ステップＳ４０６に進む。ステップＳ４０６において、制御部１０７は、マーカーの選択キーが押下（入力）されたか否かを判定する。図２の操作部１０６（リモコン２０１）は、少なくとも二つの記号を示す標識から一つの記号を示す標識を選択することができる。リモコン２０１において、２０８、２０９、２１０、２１１は、マーカーを選択するための選択キーである。選択キー２０８が押下された場合、制御部１０７は、マーカー５０２（８１２、８２２）に対応するキー５０１が入力されたと判定する。同様に、選択キー２０９、２１０、２１１が押下された場合、制御部１０７は、マーカー５０３（８１３、８２３）、マーカー５０４（８１４、８２４）、マーカー５０５（８１５、８２５）にそれぞれ対応するキー５０１が入力されたと判定する。
【００３８】
ステップＳ４０６にてマーカーの選択キーが押下された場合、ステップＳ４０７に進む。ステップＳ４０７において、制御部１０７は、入力された記号をパスワード候補の構成記号として内部メモリ（記憶部）に記憶する。続いてステップＳ４０８において、パスワード入力ウィンドウ３０２のパスワード入力行３０３に、代替記号３０４を表示する。そして、ステップＳ４０３に戻る。以降、必要に応じてステップＳ４０３〜Ｓ４０６を繰り返す。
【００３９】
ステップＳ４０９において、制御部１０７は、パスワード候補の確定キーが入力されたか否かを判定する。パスワード候補の確定とは、ステップＳ４０７にて記憶されたパスワード候補記号の集合がパスワード候補として完成したことを意味する。本実施例では、例えば図２のリモコン２０１の確定キー２０７が押下されることにより、パスワード候補の確定指示が行われる。確定指示が入力されない場合、ステップＳ４０３へ戻り、ステップＳ４０３〜Ｓ４０９を繰り返す。
【００４０】
別の確定指示の例として、図９に示されるように、ソフトキーボード３０５の確定キーを選択する方法もある。図９は、マーカー９０３、９０５がソフトキーボード３０５の確定キー５０６に重なっている状態を示している。図９に示される状態でリモコン２０１の選択キー２０９、２１１のいずれかを押下すると、パスワード候補の確定が指示される。
【００４１】
図４のステップＳ４０９にて確定指示が行われると、ステップＳ４１０に進む。ステップＳ４１０において、制御部１０７は、入力されたパスワード候補とパスワード記憶部１０８に記憶されている照合用パスワードとの比較（パスワード照合）を行う。そしてステップＳ４１１において、制御部１０７は、操作部１０６により入力されたパスワード候補と照合用パスワードとが一致するか否か（照合ＯＫか否か）を判定する。パスワードが一致した場合には正しいパスワードが入力された（パスワード認証が成功した）と判定し、パスワード入力処理を終了する。一方、パスワードが一致しない場合、使用者に再度入力を求めるため、ステップＳ４０１へ戻る。
【００４２】
次に、図１０を参照して、パスワード入力装置１００におけるパスワード入力方法について詳述する。図１０は、本実施例におけるリモコン、ソフトキーボード、および、パスワード入力の関係図である。ここでは、パスワード候補として「ｓ２」と入力する場合を考える。
【００４３】
図１０において、図１０（ｂ）はソフトキーボード３０５の一部を示し、図１０（ｃ）はパスワード入力行３０３を示している。この状態において、図１０（ｄ）に示されるようにリモコン２０１の選択キー２１０が押下されると、選択キー２１０と同色（略同色）で示されるマーカー５０４が選択される（図１０（ｅ））。そして、パスワード入力行３０３に、パスワード候補として「ｓ」が入力される（図１０（ｆ））。ただし、パスワード入力行３０３には、入力された記号「ｓ」ではなく代替記号「＊」が追加表示される。
【００４４】
続いてリモコン２０１を操作し、右へ移動するための移動キー２０５を押下すると（図１０（ｇ））、４つのマーカー５０２〜５０５は全て一つずつ右に移動する（図１０（ｈ））。このときパスワード入力行３０３には、「ｓ」の代替記号「＊」のみが表示された状態が保持される（図１０（ｆ））。
【００４５】
この状態で、選択キー２０８が押下されると（図１０（ｊ））、選択キー２０８と同色（略同色）で示されるマーカー５０２が選択される（図１０（ｋ））。そして、パスワード入力行３０３に、パスワード候補として「２」の代替記号「＊」が追加入力される（図１０（ｌ））。その後、パスワード候補の確定キー２０７が押下されると、パスワード照合が行われる。
【００４６】
本実施例によれば、ソフトキーボード上でキーを選択してはいるものの、いずれのキーを選択したかを第三者に知られる可能性が低減するため、公開画面上で秘匿性の高いパスワード入力が可能となる。
【実施例２】
【００４７】
次に、図１５を参照して、本発明の実施例２におけるパスワード入力装置１００の動作（パスワード入力方法）について説明する。図１５は、パスワード入力装置１００の動作を示すフローチャートである。図１５の各ステップは、パスワード入力装置１００の制御部１０７の指令に基づいて行われる。なお、本実施例において、図４と同一の箇所についての説明は省略する。
【００４８】
まずステップＳ１５０１において、制御部１０７（表示部１０２）は、パスワード入力ウィンドウ３０２を表示する前に、図１２に示されるマーカー選択ウィンドウ１２０１を表示する。図１２は、表示画面３０１に表示されたマーカー選択ウィンドウ１２０１の模式図である。使用者は、マーカー選択ウィンドウ１２０１において、以降のソフトキーボード３０５の操作で注目マーカー（注目標識）を選択する。図１２のマーカー選択ウィンドウ１２０１は、４種類のマーカーから１つのマーカーを選択するように構成されている。ただし本実施例はこれに限定されるものではなく、複数の種類のマーカーから１つのマークを選択可能に構成されていればよい。
【００４９】
本実施例において、使用者は、リモコン２０１の数字キー（非図示）を入力して１つのマーカーを選択する。数字キーを持たないリモコンの場合、他のキーで代替可能である。リモコン２０１は数字キーを有しないが、例えば、移動キー２０３〜２０６が番号「１」〜「４」を意味するように設定し、または、選択キー２０８〜２１１が番号「１」〜「４」を意味するように設定することで代替可能である。また、図１２中の番号「１」「２」「３」「４」の代わりに、「１（↑）」「２（→）」「３（↓）」「４（←）」のように数字キー以外のキーを用いて選択可能であることを示してもよい。このように本実施例において、操作部１０６は、少なくとも二つの記号を示す標識から予め一つの注目マーカー（注目標識）を指定する。
【００５０】
続いて、図１５のステップＳ４０１において、パスワード入力ウィンドウ３０２を表示し、図１３に示されるように、図５と同様の複数のマーカーが付されたソフトキーボード３０５を表示する。図１３は、ソフトキーボード３０５の一部拡大図である。ソフトキーボード３０５には、互いに異なる記号を示す複数のキー５０１が配列されている。また、複数のキー５０１のうち４つのキーの上にはマーカー１３０２、１３０３、１３０４、１３０５（標識）が付されている。表示された複数のマーカー１３０２〜１３０５には、ステップＳ１５０１にて選択された注目マーカーが含まれる。ステップＳ４０１〜Ｓ４０５は、図４を参照して説明した実施例１と同様である。
【００５１】
次に、ステップＳ１５０６において、制御部１０７は、リモコン２０１の選択キー２０８〜２１１のうち、注目マーカー（注目標識）に対応する選択キーが押下されたか否かを判定する。注目マーカーに対応する選択キーが押下された場合（操作部１０６により注目標識を選択した場合）、ステップＳ１５０７に進む。ステップＳ１５０７において、制御部１０７は、ステップＳ１５０１で選択した注目マーカーに対応するキー５０１の記号を、パスワード候補の記号の一つとして選択する。そしてステップＳ４０８において、アスタリスク「＊」が追加表示される。以降、必要に応じて記号の入力を繰り返す。
【００５２】
ステップＳ４０９にてパスワード候補が確定した場合、ステップＳ４１０にてパスワード照合を行う。そしてステップＳ４１１において、制御部１０７は、パスワードが一致するか否か（照合ＯＫか）を判定する。このとき、リモコン２０１の確定キー２０７はマーカーの示す記号の選択に用いられているため、図１４に示されるようにソフトキーボード３０５上の確定キー５０６を利用する必要がある。図１４は、本実施例におけるソフトキーボード３０５の一部拡大図である。本実施例では、確定キー５０６の上に全てのマーカー１３０２〜１３０５が同時に重なるように配置される。または、図９を参照して説明したように、必ずしも全てのマーカーが確定キー５０６の上に重なっていなくてもよい。
【００５３】
上記各実施例によれば、公開画面上での文字入力の際に秘匿性を確保しつつ、デザイン性および操作性を向上させたパスワード入力装置、電子機器、プロジェクタ、および、パスワード入力方法を提供することができる。
【００５４】
以上、本発明の好ましい実施形態について説明したが、本発明はこれらの実施形態に限定されず、その要旨の範囲内で種々の変形及び変更が可能である。
【００５５】
例えば、本実施例はパスワード以外の秘匿文字列や非公開文字列などを入力する入力装置にも適用可能である。
【符号の説明】
【００５６】
１００    パスワード入力装置
１０２    表示部
１０５    ＯＳＤ画像生成部
１０６    操作部
１０７    制御部
【図１】
2014081859.tif 000003
【図２】
2014081859.tif 000004
【図３】
2014081859.tif 000005
【図４】
2014081859.tif 000006
【図５】
2014081859.tif 000007
【図６】
2014081859.tif 000008
【図７】
2014081859.tif 000009
【図８】
2014081859.tif 000010
【図９】
2014081859.tif 000011
【図１０】
2014081859.tif 000012
【図１１】
2014081859.tif 000013
【図１２】
2014081859.tif 000014
【図１３】
2014081859.tif 000015
【図１４】
2014081859.tif 000016
【図１５】
2014081859.tif 000017